(57)【要約】【課題】利用者が望む鍵を使用可能にして便宜性を向上した収納装置を提供する。【解決手段】本発明に係るキーボックス１は、収納スペース１０を有する筐体２と、筐体２に対して開閉可能な収納カバー３と、施錠位置と解錠位置とで移動可能であって閉状態の収納カバー３に対して施錠位置へと移動して収納カバー３を施錠するデッドボルト１２と、デッドボルト１２を施錠位置と解錠位置との間で移動させる移動機構１３と、鍵穴４２に挿入した合鍵を回転させることで回転する内筒４１を有するシリンダー錠１４と、シリンダー錠１４の内筒４１の回転に従動して移動機構１３を機械的に駆動する機械式駆動部１５と、識別情報を記憶した外部記憶媒体５７と無線通信して識別情報を受信すると共に識別情報の認証処理を行う制御回路１６と、制御回路１６が識別情報を認証したときに作動して移動機構１３を電気的に駆動する電気式駆動部１７と、を備える。【選択図】図１
2016188466.tif 000002
【特許請求の範囲】
【請求項１】
内部に収納スペースを有する筐体と、
前記筐体に開閉可能に取り付けられ、開状態で前記収納スペースを開放し、また、閉状態で前記収納スペースを閉塞する収納カバーと、を備えた収納装置であって、
施錠位置と解錠位置とで移動可能に設けられ、前記閉状態の前記収納カバーに対して前記施錠位置へと移動することで前記収納カバーを施錠するデッドボルトと、
前記デッドボルトを前記施錠位置と前記解錠位置との間で移動させる移動機構と、
鍵穴に挿入した合鍵を回転させることで回転可能となる内筒を有するシリンダー錠と、
前記シリンダー錠の前記内筒の回転に従動して前記移動機構を機械的に駆動する機械式駆動部と、
識別情報を記憶した外部記憶媒体と無線通信して前記識別情報を受信すると共に、受信した前記識別情報の認証処理を行う制御回路と、
前記制御回路が前記識別情報を認証したときに作動して前記移動機構を電気的に駆動する電気式駆動部と、を備えることを特徴とする収納装置。
【請求項２】
前記移動機構は、前記デッドボルトの移動方向である第１方向に対して交差する第２方向に移動可能に取り付けられる可動部材を備え、前記可動部材は、前記第１方向の一端側及び前記第２方向の一端側から前記第１方向の他端側及び前記第２方向の他端側へと延びる第１ガイド溝を有し、
前記デッドボルトは、前記施錠位置へと移動するときに前記第１方向の一端側へと突出する一端部と、前記可動部材の前記第１ガイド溝に軸支される他端部とを有し、
前記機械式駆動部は、前記シリンダー錠を解錠したときに前記可動部材を前記第２方向の一端側へと移動させ、
前記電気式駆動部は、前記制御回路が前記識別情報を認証したときに作動して前記可動部材を前記第２方向の一端側へと移動させる
ことを特徴とする請求項１に記載の収納装置。
【請求項３】
前記機械式駆動部は、前記シリンダー錠の前記内筒と同軸の円筒部材と、前記円筒部材の径方向に貫通して取り付けられる可動軸と、を備え、
前記円筒部材の外周面には、前記円筒部材の軸方向と周方向とに対して斜めに延びる２つの第２ガイド溝が形成され、
前記可動軸の前記第１方向の両端は、前記２つの第２ガイド溝に挿通されると共に回転不能に軸支され、
前記可動部材の前記第２方向の一端は、前記可動軸に連結される
ことを特徴とする請求項２に記載の収納装置。
【請求項４】
前記電気式駆動部は、
モータと、
前記第２方向を運動方向とするカムと、
前記モータの動力を前記カムへと伝達するギアと、を備え、
前記カムは、前記移動機構の前記第２方向の他端側に当接していて、回転に応じて前記可動部材を前記第２方向に移動させる
ことを特徴とする請求項２に記載の収納装置。
【発明の詳細な説明】
【技術分野】
【０００１】
本発明は、合鍵等の収納物を収納可能な収納スペースを有すると共にこの収納スペースを閉塞した状態で施錠可能なキーボックス等の収納装置に関する。
【背景技術】
【０００２】
住居の玄関や倉庫の入口、あるいは自動車等の鍵（被保管鍵と称する）は、特定の利用者だけが利用できるように保管されるが、複数の利用者が存在する場合や、被保管鍵を紛失した場合のために、従来から、被保管鍵を保管すると共に、住居の玄関や倉庫の入口等の利用場所付近に持ち出し不能に取り付けられるキーボックス等の収納装置が提案されている。収納装置は、被保管鍵を他者が利用できないように、被保管鍵を収納可能な収納スペースを有すると共に、この収納スペースを収納カバー等で閉塞した状態で施錠可能であって、且つ、南京錠のシャックル等の取付部材を備えて使用場所に持ち出し不能に取り付けられるように構成される。この収納装置の収納スペースは、電子キー等の様々な鍵（収納鍵と称する）によって施解錠される。
【０００３】
例えば、特許文献１の不動産仲介業務支援システムにおいて、キーボックス（収納装置）は、本体の下端部にキー収容部（収納スペース）が設けられていて、キー収容部の下端面の収容口に筐体状のキーコンテナ（収納カバー）が挿入されて抜け止め状態にロックされる。このキーコンテナには、キーボックスを固定した建築不動産の内部に入るための鍵（被保管鍵）が収容される。そして、キーボックスの信号処理回路が、電子キーからロック解除信号を受信したときに、キーコンテナが離脱可能となり、キー収容部が開放されて鍵を取り出し可能となる。
【先行技術文献】
【特許文献】
【０００４】
【特許文献１】特開２００４−０７６４３９号公報
【発明の概要】
【発明が解決しようとする課題】
【０００５】
上記したような収納装置は、電子キーを用いることにより収納スペースを開放可能とするために、収納カバーを電気的に施解錠する駆動機構を備える必要がある。しかしながら、収納装置は、様々な利用者によって扱われるため、このような収納装置は、電子キー以外の、例えばブレードを有する収納鍵等の使用を望む利用者にとって不便である。
【０００６】
他方、収納装置には、ブレードを有する収納鍵を用いて収納スペースを開放可能とするように、収納カバーを機械的に施解錠する駆動機構を備えるものがある。しかしながら、このような収納装置は、ブレードを有する収納鍵以外の、電子キー等の使用を望む利用者にとって不便となる。
【０００７】
本発明は、上記した課題を解決すべくなされたものであり、様々な利用者が望む鍵を使用可能にして便宜性を向上した収納装置を提供することを目的するものである。
【課題を解決するための手段】
【０００８】
上記した目的を達成するため、本発明は、内部に収納スペースを有する筐体と、前記筐体に開閉可能に取り付けられ、開状態で前記収納スペースを開放し、また、閉状態で前記収納スペースを閉塞する収納カバーと、を備えた収納装置であって、施錠位置と解錠位置とで移動可能に設けられ、前記閉状態の前記収納カバーに対して前記施錠位置へと移動することで前記収納カバーを施錠するデッドボルトと、前記デッドボルトを前記施錠位置と前記解錠位置との間で移動させる移動機構と、鍵穴に挿入した合鍵を回転させることで回転可能となる内筒を有するシリンダー錠と、前記シリンダー錠の前記内筒の回転に従動して前記移動機構を機械的に駆動する機械式駆動部と、識別情報を記憶した外部記憶媒体と無線通信して前記識別情報を受信すると共に、受信した前記識別情報の認証処理を行う制御回路と、前記制御回路が前記識別情報を認証したときに作動して前記移動機構を電気的に駆動する電気式駆動部と、を備えることを特徴とする。
【０００９】
この特徴を備えることにより、収納装置は、ブレードを有する合鍵と、電子キー等の外部記憶媒体との両方を、収納カバーを施解錠するための収納鍵として使用可能となる。従って、様々な利用者が望む鍵を使用可能にして便宜性を向上した収納装置が提供される。また、ブレードを有する合鍵を使用する際に駆動する機械式駆動部も、電子キー等の外部記憶媒体を使用する際に駆動する電気式駆動部も、１つの移動機構を駆動して１つのデッドボルトを移動させるため、機械的な駆動機構と電気的な駆動機構を併せ持つ構成を、大型化することなく簡易な構成で実現することができる。
【００１０】
また、本発明に係る収納装置において、前記移動機構は、前記デッドボルトの移動方向である第１方向に対して交差する第２方向に移動可能に取り付けられる可動部材を備え、前記可動部材は、前記第１方向の一端側及び前記第２方向の一端側から前記第１方向の他端側及び前記第２方向の他端側へと延びる第１ガイド溝を有し、前記デッドボルトは、前記施錠位置へと移動するときに前記第１方向の一端側へと突出する一端部と、前記可動部材の前記第１ガイド溝に軸支される他端部とを有し、前記機械式駆動部は、前記シリンダー錠を解錠したときに前記可動部材を前記第２方向の一端側へと移動させ、前記電気式駆動部は、前記制御回路が前記識別情報を認証したときに作動して前記可動部材を前記第２方向の一端側へと移動させることを特徴とするとよい。
【００１１】
この特徴を備えることにより、収納装置では、移動機構を上記のような可動部材を用いた簡易な構成で実現することができる。
【００１２】
また、本発明に係る収納装置において、前記機械式駆動部は、前記シリンダー錠の前記内筒と同軸の円筒部材と、前記円筒部材の径方向に貫通して取り付けられる可動軸と、を備え、前記円筒部材の外周面には、前記円筒部材の軸方向と周方向とに対して斜めに延びる２つの第２ガイド溝が形成され、前記可動軸の前記第１方向の両端は、前記２つの第２ガイド溝に挿通されると共に回転不能に軸支され、前記可動部材の前記第２方向の一端は、前記可動軸に連結されることを特徴とするとよい。
【００１３】
この特徴を備えることにより、収納装置では、上記のような可動部材を駆動するための機械式駆動部を簡易な構成で実現することができる。
【００１４】
また、本発明に係る収納装置において、前記電気式駆動部は、モータと、前記第２方向を運動方向とするカムと、前記モータの動力を前記カムへと伝達するギアと、を備え、前記カムは、前記移動機構の前記第２方向の他端側に当接していて、回転に応じて前記可動部材を前記第２方向に移動させることを特徴とするとよい。
【００１５】
この特徴を備えることにより、収納装置では、上記のような可動部材を駆動するための電気式駆動部を簡易な構成で実現することができる。
【発明の効果】
【００１６】
本発明によれば、利用者が望む鍵を使用可能にして便宜性を向上した収納装置を提供する。
【図面の簡単な説明】
【００１７】
【図１】本発明の一実施形態に係る収納装置の収納カバーを外した状態を示す斜視図である。
【図２】本発明の一実施形態に係る収納装置の外形を示す斜視図である。
【図３】本発明の一実施形態に係る収納装置の収納カバー及び回路カバーを外した状態を示す正面図である。
【図４】本発明の一実施形態に係る収納装置を正面から見た断面図である。
【図５】本発明の一実施形態に係る収納装置を右側から見た断面図である。
【図６】本発明の一実施形態に係る収納装置を左側から見た断面図である。
【図７】本発明の一実施形態に係る収納装置を示す底面図である。
【図８】本発明の一実施形態に係る収納装置を上方から見た断面図である。
【図９】本発明の一実施形態に係る収納装置の可動板を示す正面図である。
【図１０】本発明の一実施形態に係る収納装置の機械式駆動部を示す正面図である。
【図１１】本発明の一実施形態に係る収納装置の制御回路を示すブロック図である。
【発明を実施するための形態】
【００１８】
本発明の一実施形態に係る収納装置としてのキーボックスについて、添付の図面を参照しながら説明する。図１および図２は、本発明の一実施形態に係るキーボックスを示す斜視図、図３は、本発明の一実施形態に係るキーボックスを示す正面図、図４〜図６、図８は、本発明の一実施形態に係るキーボックスの内部構成を示す断面図、図７は、本発明の一実施形態に係るキーボックスを示す底面図である。なお、本実施形態では、各図において矢印で示す前後方向、左右方向（第１方向）及び上下方向（第２方向）を基準として、キーボックスを説明するが、実際には、キーボックスの各方向は、利用状況に応じて変化する。
【００１９】
本実施形態において、キーボックス１（収納装置）は、略箱状の筐体２と、筐体２の前面下部に開閉可能に取り付けられる収納カバー３と、筐体２の上部に着脱可能に取り付けられる逆Ｕ字形状のシャックル４（取付部材）と、筐体２の前面上部に取り付けられる回路カバー５と、回路カバー５の上端に開閉可能に取り付けられる端子カバー６と、を備える。収納カバー３には、後方に突出する２つのストライク部材７が左右両側に取り付けられ、各ストライク部材７には、左右方向に貫通する受け穴８が形成される。収納カバー３が閉塞された状態で、各ストライク部材７は、後述する各デッドボルト１２と上下方向において同じ位置に設けられ、各受け穴８は、各デッドボルト１２と前後方向において同じ位置に設けられる。
【００２０】
筐体２は、前面下部が開口していて、この開口部分から内部へと収納スペース１０が設けられる。上記の収納カバー３は、収納スペース１０を開放又は閉塞するように取り付けられる。筐体２の上面には、２つの挿入穴１１が形成され、上記のシャックル４の両端部がそれぞれ２つの挿入穴１１に挿入されて取り付けられる。
【００２１】
また、筐体２の内部には、２つのデッドボルト１２と、移動機構１３と、シリンダー錠１４と、機械式駆動部１５と、制御回路１６と、電気式駆動部１７と、電池ボックス１８と、シャックル施解錠機構２０（取付部材施解錠機構）と、が備えられる。なお、筐体２の内部には、収納スペース１０の後壁として、内カバー（図示せず）や電池カバー（図示せず）が備えられ、２つのデッドボルト１２、移動機構１３、シリンダー錠１４、機械式駆動部１５及び電池ボックス１８を覆うように配置されるが、図１、図３及び図４では、内カバーや電池カバーを取り外した状態を図示している。また、制御回路１６は回路カバー５によって覆われていて、電気式駆動部１７は制御回路１６の後方に配置され、シャックル施解錠機構２０は電気式駆動部１７の後方に配置されると共に一部分（後述する操作部材６５）が収納スペース１０まで延在している。
【００２２】
２つのデッドボルト１２は、筐体２に対して収納カバー３を施解錠するためのもので、左右方向に延びた形状を有し、筐体２の上下方向中央付近で左右両側に並設される。各デッドボルト１２は、左右方向（第１方向）に移動可能となるように移動機構１３に取り付けられ、筐体２の左右の内壁に近接した施錠位置と、筐体２の左右の内壁から離間した解錠位置との間で移動する。即ち、左側のデッドボルト１２は、左側に向かうことで施錠位置に移動して外側（左側）の端部が左側に突出し、また、右側に向かうことで解錠位置に移動して外側（左側）の端部が引き込まれるように動作する。同様にして、右側のデッドボルト１２は、右側に向かうことで施錠位置に移動して外側（右側）の端部（一端部）が右側に突出し、また、左側に向かうことで解錠位置に移動して外側（右側）の端部（一端部）が引き込まれるように動作する。また、左側のデッドボルト１２の内側（右側）の端部（他端部）及び右側のデッドボルト１２の内側（左側）の端部（他端部）は、移動機構１３（後述する可動板２２）に軸支される。なお、各デッドボルト１２の中央部分を支持するために、左右方向に貫通する支持穴２１が、後述する可動板２２の左右両側において筐体２に取り付けられていて、各デッドボルト１０は支持穴２１に嵌合されることで上下方向への移動が規制されている。
【００２３】
移動機構１３は、可動板２２（可動部材）と、２つの第１バネ２３と、２つのロック部材２４と、を備え、筐体２の中央に設けられる。
【００２４】
可動板２２は、図９に示すように、左右方向及び上下方向に延びる板状に形成され、デッドボルト１２の移動方向である左右方向に対して交差する上下方向（第２方向）に移動可能となるように筐体２に取り付けられる。可動板２２には、２つの第１ガイド溝２５が左右方向に並設されていて、各第１ガイド溝２５は、左右方向の外側（第１方向の一端側）及び下側（第２方向の一端側）から左右方向の内側（第１方向の他端側）及び上側（第２方向の他端側）へと延びるように形成される。即ち、左側の第１ガイド溝２５は、左側及び下側から右側及び上側へと向かって斜めに延びて形成され、また、右側の第１ガイド溝２５は、右側及び下側から左側及び上側へと向かって斜めに延びて形成される。更に、各第１ガイド溝２５の下部には、下側のみに延びる規制溝２６が形成されている。
【００２５】
また、可動板２２の下部には、左右方向の中央から下方に突出した被連結部２７と、被連結部２７の左右両側において下方に突出した２つの第１バネ受け部３０と、が形成される。例えば、被連結部２７には、上下方向に延びる係合穴２８が形成される。更に、可動板２２の上部には、左右方向の中央から上方に突出すると共に前方に屈曲して左右方向に平坦な上面を有するカム当接部３１と、カム当接部３１の左右両側において切り欠かれた左右方向に平坦な縁部である被係止部３２と、が形成される。また、可動板２２には、上下方向に延びる支持溝３３及び３４が形成され、筐体２に設けられた支持軸３５及び３６が支持溝３３及び３４にそれぞれ挿入されている。
【００２６】
２つの第１バネ２３は、可動板２２を上方に付勢するように可動板２２の下側に設けられ、各第１バネ２３の下端は筐体２に固定され、各第１バネ２３の上端は可動板２２の各第１バネ受け部３０に取り付けられている。
【００２７】
２つのロック部材２４は、デッドボルト１２及び可動板２２の後側において可動板２２の左右両側にそれぞれ設けられ、バネ等の付勢部材（図示せず）によって前方に付勢されている。各ロック部材２４は、操作片３７及び係止片３８を有して一体的に形成されている。
【００２８】
各ロック部材２４の操作片３７は、上下方向に延びた形状を有し、各操作片３７の一端（上端）は、各係止片３８と結合していて、各操作片３７の他端（下端）は、収納カバー３が閉塞されたときの各ストライク部材７と対応した上下方向の位置に配置される。そして、収納カバー３が閉塞されるときに各操作片３７が各ストライク部材７によって後方へと押圧されることで、各ロック部材２４は付勢部材（図示せず）の付勢力に抗して後方へと移動する。
【００２９】
各ロック部材２４の係止片３８は、各操作片３７との結合部分から左右方向の内側へと延びた形状を有する。各係止片３８は、可動板２２の各被係止部３２と対応した左右方向の位置に配置され、可動板２２が上側に移動したときの各被係止部３２と重なる位置に配置される。各係止片３８は、可動部２２が下方に移動して可動板２２の各被係止部３２が各係止片３８よりも下方に移動すると、各ロック部材２４が付勢部材（図示せず）の付勢力によって前方に移動して、各係止片３８が各被係止部３２を係止することになり、即ち、各ロック部材２４によって可動板２２の上方への移動がロック（規制）される。
【００３０】
シリンダー錠１４は、外筒４０と、外筒４０内に収容される内筒４１と、を備え、内筒４１の底面に設けられた鍵穴４２に挿入した合鍵を回転させることで内筒４１が回転可能となるように構成される。シリンダー錠１４は、鍵穴４２が筐体２の底面の略中央に位置すると共に、内筒４１の回転軸が上下方向となるように筐体２の下部に装着される。また、シリンダー錠１４の内筒４１の上端には、機械式駆動部１５と係合するための係合部４３が設けられる。
【００３１】
機械式駆動部１５は、円筒部材４４と、２つの軸支持部４５と、可動軸４６と、連結部材４７と、を備え、シリンダー錠１４の上方、且つ移動機構１３の下方に設けられる。
【００３２】
円筒部材４４は、シリンダー錠１４の内筒４１の回転軸と同軸で回転可能となるように筐体２に軸支される。図１０に示すように、円筒部材４４の底面には、シリンダー錠１４の内筒４１の係合部４３と係合する被係合部４８が形成されている。また、円筒部材４４の外周面には、円筒部材４４の軸方向と周方向とに対して斜めに延びる２つの第２ガイド溝５０が形成され、第２ガイド溝５０は、例えば、上方視で反時計回りに進むに連れて上方に延びるように形成される。
【００３３】
２つの軸支持部４５は、円筒部材４４の左右両側で上下方向に延びるように備えられ、例えば、左右方向の内側に溝部が形成されている。
【００３４】
可動軸４６は、両端が２つの第２ガイド溝５０にそれぞれ挿通されて、円筒部材４４を径方向に貫通すると共に、両端が２つの軸支持部４５にそれぞれ軸支されて取り付けられる。これにより、可動軸４６は、２つの軸支持部４５によって円筒部材４４の回転方向への回転が規制されて軸方向を左右方向にした状態で維持されると共に、２つの軸支持部４５及び２つの第２ガイド溝５０に沿って上下方向に移動可能になる。
【００３５】
連結部材４７は、上下方向に延びた形状を有し、円筒部材４４の内部に配置される。連結部材４７の上端には可動板２２の被連結部２７が取り付けられ、また、連結部材４７の下端には可動軸４６が固定されて連結部材４７が可動軸４６に従動して移動する。連結部材４７は、例えば、下方へと移動する場合には、被連結部２７を従動させて下方へと移動させるが、上方へと移動する場合には、被連結部２７を従動しないように構成される。例えば、連結部材４７は、被連結部２７を上下方向に挿入可能な内部空間を有し、連結部材４７の上端が被連結部２７の係合穴２８に係合することで被連結部２７を抜け止めした状態で取り付ける。なお、この構成によれば、被連結部２７が上方へと移動する場合に、連結部材４７が被連結部２７に従動して上方へと移動することになる。
【００３６】
上記の機械式駆動部１５では、円筒部材４４の回転に応じて、可動軸４６が２つの第２ガイド溝５０に沿って上下方向に移動し、可動軸４６の上下方向の移動に応じて、連結部材４７自体が上下方向に移動すると共に、可動板２２を従動させて上下方向に移動させる。
【００３７】
制御回路１６は、例えば、図１１に示すように、ＣＰＵ等のプロセッサ５１と、メモリ５２と、アンテナ５３と、を備え、筐体２の上部に設けられる。メモリ５２には、筐体２に対する収納カバー３の施解錠を許可するために必要な識別情報が記憶される。また、制御回路１６は、通信部５４と、認証部５５と、駆動制御部５６と、を備える。
【００３８】
通信部５４は、アンテナ５３に接続されていて、識別情報を記憶した外部記憶媒体５７とアンテナ５３によって無線通信することで外部記憶媒体５７から識別情報を受信する。認証部５５は、通信部５４が受信した識別情報（受信識別情報）とメモリ５２に記憶された識別情報（登録識別情報）とを比較して、受信識別情報が正当か否かを判定する認証処理を行う。駆動制御部５６は、受信識別情報を認証部５５が認証した場合に、電気式駆動部１７に対して解錠を指示する。なお、通信部５４、認証部５５及び駆動制御部５６は、それぞれ独立した回路であってもよく、あるいは、メモリ５２に記憶されたプログラムであってプロセッサ５１によって実行されるものでもよい。
【００３９】
外部記憶媒体５７は、例えば、ＩＣカードや、携帯電話、スマートフォン及びタブレット等の携帯機器のように、識別情報をメモリ（図示せず）等に記憶すると共に、制御回路１６の通信部５４と無線通信可能な媒体であればよく、識別情報を書き換え可能なものが好ましい。また、外部記憶媒体５７は、例えば、識別情報の管理者が運営するサーバ５８と通信して、管理者が識別情報の使用を許可した場合に、有効期限付きの識別情報がサーバ５８から配信される。
【００４０】
上記の制御回路１６は、筐体２の前面に設けられた起動ボタン６０を押すことによって起動して、通信部５４が外部記憶媒体５７と通信可能な状態となり、駆動制御部５６が解錠指示をした後や、外部記憶媒体５７との通信が行われずに所定時間経過した場合に停止する。
【００４１】
電気式駆動部１７は、移動機構１３の可動板２２を上下方向に移動させる電動アクチュエータであり、例えば、モータ６１と、モータ６１の回転軸と同軸に接続されたボールねじ６２と、ボールねじ６２の回転を伝達するように相互に噛合された複数のギア６３と、末端に設けられたギア６３の回転軸と同軸に接続されたカム６４と、を備える。ボールねじ６２及び複数のギア６３は、モータ６１の動力をカム６４へと伝達するためのギアである。なお、モータ６１及びボールねじ６２の回転軸は上下方向と平行であり、複数のギア６３及びカム６４の回転軸は前後方向と平行であり、カム６４の運動方向は上下方向と平行である。モータ６１、ボールねじ６２、複数のギア６３及びカム６４は、カム６４が可動板２２のカム当接部３１に当接するように配置される。
【００４２】
カム６４は、長尺の楕円形状を有していて、可動板２２が上方に移動した場合（各デッドボルト１２が施錠位置にある場合）には、長尺方向が左右方向と同じになるように維持され、また、長尺方向が上下方向に延びるように回転することで、カム当接部３１を下方へと押圧して可動板２２を下方へと移動させる。
【００４３】
電池ボックス１８は、筐体２の下部に設けられ、例えば、シリンダー錠１４及び機械式駆動部１５の左右両側に１つずつ電池を搭載できるように備えられる。電池ボックス１８は、制御回路１６及び電気式駆動部１７と電気的に接続されていて、搭載された電池の電力を制御回路１６及び電気式駆動部１７に対して供給する。なお、筐体２の前面上端には、角型電池と接続可能な端子（図示せず）が設けられていて、この端子は、通常時は、上記の端子カバー６によって覆われていて、端子カバー６を開けることでこの端子が露出する。この端子も、電池ボックス１８と同様に制御回路１６及び電気式駆動部１７と電気的に接続されていて、この端子を介して接続された角型電池の電力が制御回路１６及び電気式駆動部１７に対して供給される。
【００４４】
シャックル施解錠機構２０は、挿入穴１１に挿入されて取り付けられたシャックル４を施解錠するためのもので、操作部材６５と、シャフト６６と、爪板６７と、２つの第２バネ６８を備え、筐体２の上部に設けられる。なお、シャックル４の両端部には、被係止溝７０が外周に形成されている。
【００４５】
操作部材６５は、略逆Ｌ字形状で形成され、この逆Ｌ字形状の縦部分は、筐体２の左側の内壁に沿って上下方向中央から上方へと延びている。操作部材６５の逆Ｌ字形状の横部分は、筐体２の左側の内壁から右側へと延びると共に右側端部が下方に屈曲されていて、更に、この横部分の左右方向中央には上方へ突出した突出部７２が形成されている。操作部材６５の上部には、水平方向に同軸の２つのシャフト穴７１が逆Ｌ字形状の縦部分と横部分の屈曲部分とに穿設されている。２つのシャフト穴７１には、筐体２に軸支されたシャフト６６が取り付けられていて、即ち、操作部材６５がシャフト６６を回転軸として回動可能に取り付けられている。
【００４６】
爪板６７は、シャックル４の左右方向の幅よりも長い幅を有していて前後方向及び左右方向に延びる板状部材で、操作部材６５の突出部７２の上端に取り付けられる。爪板６７の後端には、２つの係止溝７３がシャックル４の両端部と同じ間隔で挿入穴１１に対応した位置に形成され、また、爪板６７の前端には、２つの第２バネ受け部７４が形成される。２つの第２バネ６８は、前端が筐体２の前側の内壁に固定されると共に、後端が２つの第２バネ受け部７４に取り付けられる。
【００４７】
上記のシャックル施解錠機構２０では、爪板６７は２つの第２バネ６８によって後方に付勢されていて、爪板６７の２つの係止溝７３が、挿入穴１１に挿入されたシャックル４の両端部の被係止溝７０を係止して、シャックル４が施錠状態となる。従って、住居の玄関や倉庫の入口等の利用場所付近でシャックル４をドアノブやフックに取り付けて施錠することにより、キーボックス１が持ち出し不能に取り付けられることになる。また、シャックル施解錠機構２０では、収納カバー３を開放した状態で操作部材６５が操作可能になり、操作部材６５を後方に押圧すると、爪板６７は２つの第２バネ６８の付勢力に抗して前方へと移動し、２つの係止溝７３による各被係止溝７０の係止が解除され、シャックル４が解錠状態となる。
【００４８】
次に、このような構成を備えたキーボックス１において、合鍵を用いて収納カバー３を解錠する動作について説明する。
【００４９】
先ず、キーボックス１は、収納カバー３が閉塞されると共に、デッドボルト１２が施錠位置に移動してストライク部材７の受け穴８に嵌合した状態であり、即ち、収納カバー３が施錠された状態である。
【００５０】
このような状態のキーボックス１に対して、シリンダー錠１４の鍵穴４２に合鍵を挿入して下方視で時計回り（上方視で反時計回り）に回転すると、シリンダー錠１４の内筒４１も上方視で反時計回りに回転する。
【００５１】
ここで、シリンダー錠１４の内筒４１の上端に設けられた係合部４３が機械式駆動部１５の円筒部材４４の底面に設けられた被係合部４８と係合しているため、シリンダー錠１４の内筒４１の回転に応じて、機械式駆動部１５の円筒部材４４も上方視で反時計回りに回転する。
【００５２】
この円筒部材４４の回転に応じて、機械式駆動部１５の可動軸４６は、２つの第２ガイド溝５０に沿って下方に移動する。ここで、可動軸４６が連結部材４７を介して移動機構１３の可動板２２の被連結部２７に連結されているため、可動軸４６の下方への移動に応じて、可動板２２も下方へと移動する。
【００５３】
可動板２２が下方へと移動すると、各デッドボルト１２は、可動板２２の各第１ガイド溝２５に沿って左右方向の内側へと移動し、ストライク部材７の受け穴８から抜け出て解錠位置まで移動する。また、各デッドボルト１２が解錠位置まで移動すると、移動機構１３において、可動板２２の各被係止部３２が各ロック部材２４の係止片３８よりも下方に移動するため、各ロック部材２４は付勢部材（図示せず）の付勢力によって前方に移動する。そして、各被係止部３２は各係止片３８によって係止され、可動板２２の上方への移動が各ロック部材２４によってロック（規制）される。
【００５４】
このようにして、キーボックス１では、各デッドボルト１２が解錠位置に移動した状態となる。
【００５５】
次に、このような構成を備えたキーボックス１において、識別情報を記憶した外部記憶媒体５７を用いて収納カバー３を解錠する動作について説明する。
【００５６】
上記したように収納カバー３が施錠された状態のキーボックス１において、筐体２の起動ボタン６０を押すと、制御回路１６が起動して通信部５４が外部記憶媒体５７と通信可能な状態となる。
【００５７】
ここで、外部記憶媒体５７をキーボックス１に（特に、制御回路１６が設けられる筐体２の上部に）近接させると、制御回路１６では、通信部５４が外部記憶媒体５７から識別情報を受信する。そして、この受信識別情報を認証部５５が認証すると、駆動制御部５６が電気式駆動部１７に対して解錠を指示する。
【００５８】
電気式駆動部１７では、制御回路１６（駆動制御部５６）からの解錠指示に応じて、モータ６１を回転駆動する。モータ６１が回転すると、モータ６１に接続されたボールねじ６２も回転し、ボールねじ６２と噛合された複数のギア６３も回転して、モータ６１の動力が末端のギア６３に接続されたカム６４に伝達される。そして、カム６４は、長尺方向が上下方向に延びるように回転し、可動板２２のカム当接部３１を下方へと押圧して可動板２２を下方へと移動させる。
【００５９】
可動板２２が下方へと移動する際の動作は、上記したような合鍵を用いて収納カバー３を解錠する動作と同様であるため、説明を省略する。
【００６０】
次に、このような構成を備えたキーボックス１において、収納カバー３を施錠する動作について説明する。
【００６１】
先ず、キーボックス１は、収納カバー３が開放されると共に、デッドボルト１２が解錠位置に移動した状態であり、即ち、収納カバー３が解錠された状態である。なお、可動板２２は下方へと移動していて、各ロック部材２４の係止片３８が可動板２２の各被係止部３２よりも上方に位置して各被係止部３２を係止している。即ち、可動板２２の上方への移動が各ロック部材２４によってロック（規制）されている。
【００６２】
このような状態において、収納カバーを閉塞すると、各ストライク部材７によって各操作片３７が後方へと押圧されて各ロック部材２４が後方へと移動する。これにより、各ロック部材２４の係止片３８による可動板２２の各被係止部３２の係止が解除される。そして、可動板２２は、各第１バネ２３によって上方へと付勢されて上方へと移動する。
【００６３】
可動板２２が上方へと移動すると、各デッドボルト１２は、可動板２２の各第１ガイド溝２５に沿って左右方向の外側へと移動し、ストライク部材７の受け穴８へと嵌合して施錠位置まで移動する。このとき、各デッドボルト１２は、各第１ガイド溝２５の規制溝２６に入り込み、左右方向への移動が規制される。また、各ロック部材２４は、各ストライク部材７が各操作片３７を後方へと押圧しているため、付勢部材（図示せず）の付勢力に抗して可動板２２の後側に位置した状態が維持される。
【００６４】
このようにして、キーボックス１では、各デッドボルト１２が施錠位置に移動した状態となる。
【００６５】
上記したように、本実施形態に係るキーボックス１は、内部に収納スペース１０を有する筐体２と、筐体２に開閉可能に取り付けられ、開状態で収納スペース１０を開放し、また、閉状態で収納スペース１０を閉塞する収納カバー３と、を備えた収納装置であって、施錠位置と解錠位置とで移動可能に設けられ、閉状態の収納カバー３に対して施錠位置へと移動することで収納カバー３を施錠するデッドボルト１２と、デッドボルト１２を施錠位置と解錠位置との間で移動させる移動機構１３と、鍵穴４２に挿入した合鍵を回転させることで回転可能となる内筒４１を有するシリンダー錠１４と、シリンダー錠１４の内筒４１の回転に従動して移動機構１３を機械的に駆動する機械式駆動部１５と、識別情報を記憶した外部記憶媒体５７と無線通信して識別情報を受信すると共に、受信した識別情報の認証処理を行う制御回路１６と、制御回路１６が識別情報を認証したときに作動して移動機構１３を電気的に駆動する電気式駆動部１７と、を備える。
【００６６】
このような構成により、キーボックス１は、ブレードを有する合鍵と、電子キー等の外部記憶媒体５７との両方を、収納カバー３を施解錠するための収納鍵として使用可能となる。従って、様々な利用者が望む鍵を使用可能にして便宜性を向上したキーボックス１が提供される。また、ブレードを有する合鍵を使用する際に駆動する機械式駆動部１５も、電子キー等の外部記憶媒体５７を使用する際に駆動する電気式駆動部１７も、１つの移動機構１３を駆動して１組のデッドボルト１２を移動させるため、機械的な駆動機構と電気的な駆動機構を併せ持つ構成を、大型化することなく簡易な構成で実現することができる。
【００６７】
また、本実施形態に係るキーボックス１において、移動機構１３は、デッドボルト１２の移動方向である左右方向（第１方向）に対して交差する上下方向（第２方向）に移動可能に取り付けられる可動板２２（可動部材）を備え、可動板２２は、左右方向の外側（一端側）及び上下方向の下側（一端側）から左右方向の内側（他端側）及び上下方向の上側（他端側）へと延びる第１ガイド溝２５を有し、デッドボルト１２は、施錠位置へと移動するときに左右方向の外側へと突出する一端部と、可動板２２の第１ガイド溝２５に軸支される他端部とを有し、機械式駆動部１５は、シリンダー錠１４を解錠したときに可動板２２を上下方向の下側へと移動させ、電気式駆動部１７は、制御回路１６が識別情報を認証したときに作動して可動板２２を上下方向の下側へと移動させる。
【００６８】
このような構成により、キーボックス１では、移動機構１３を上記のような可動板２２を用いた簡易な構成で実現することができる。
【００６９】
また、本実施形態に係るキーボックス１において、機械式駆動部１５は、シリンダー錠１４の内筒４１と同軸の円筒部材４４と、円筒部材４４の径方向に貫通して取り付けられる可動軸４６と、を備え、円筒部材４４の外周面には、円筒部材４４の軸方向と周方向とに対して斜めに延びる２つの第２ガイド溝５０が形成され、可動軸４６の左右方向の両端は、２つの第２ガイド溝５０に挿通されると共に回転不能に軸支され、可動板２２の上下方向の下端（一端）は、可動軸４６に連結される。
【００７０】
このような構成により、キーボックス１では、上記のような可動板２２を駆動するための機械式駆動部１５を簡易な構成で実現することができる。
【００７１】
また、本実施形態に係るキーボックス１において、電気式駆動部１７は、モータ６１と、上下方向を運動方向とするカム６４と、モータ６１の動力をカム６４へと伝達するボールねじ６２及び複数のギア６３と、を備え、カム６４は、移動機構１３の上下方向の上側に当接していて、回転に応じて可動板２２を上下方向に移動させる。
【００７２】
このような構成により、キーボックス１では、上記のような可動板２２を駆動するための電気式駆動部１７を簡易な構成で実現することができる。
【００７３】
本発明のキーボックス等の収納装置は、住居の玄関や倉庫の入口、あるいは自動車等の合鍵のように、特定の利用者だけに利用を許可する様々な収納物を収納するために利用可能である。
【００７４】
また、上記した本発明の各実施の形態の説明は、本発明に係る収納装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００７５】
１    キーボックス（収納装置）
２    筐体
３    収納カバー
４    シャックル
７    ストライク部材
１０  収納スペース
１２  デッドボルト
１３  移動機構
１４  シリンダー錠
１５  機械式駆動部
１６  制御回路
１７  電気式駆動部
２０  シャックル施解錠機構
２２  可動板（可動部材）
２３  第１バネ
２４  ロック部材
２５  第１ガイド溝
２６  規制溝
３７  操作片
３８  係止片
４１  内筒
４２  鍵穴
４４  円筒部材
４６  可動軸
４７  連結部材
５０  第２ガイド溝
５４  通信部
５５  認証部
５６  駆動制御部
５７  外部記憶媒体
６１  モータ
６２  ボールねじ
６３  ギア
６４  カム
【図１】
2016188466.tif 000003
【図２】
2016188466.tif 000004
【図３】
2016188466.tif 000005
【図４】
2016188466.tif 000006
【図５】
2016188466.tif 000007
【図６】
2016188466.tif 000008
【図７】
2016188466.tif 000009
【図８】
2016188466.tif 000010
【図９】
2016188466.tif 000011
【図１０】
2016188466.tif 000012
【図１１】
2016188466.tif 000013